(57)【要約】      （修正有）【課題】唇のライトニングや豊潤化をより効果的により簡便に実現する組成物を提供する。【解決手段】マイクロニードルアレイは、水溶性高分子を含み、マイクロニードルの高さは５０μｍから３００μｍであり、先端が直径５〜１５０μｍの円形又はそれと同面積を有する平面である。マイクロニードルアレイシート３の背部に、裏打ち不織布シート４に粘着剤５をパターン塗工した粘着テープを裏打ちしてマイクロニードルアレイを得た。【選択図】図２
2019034151.tif 000002
【特許請求の範囲】
【請求項１】
唇のライトニング及び／又は豊潤化を行う目的で唇に局所的に適用されるマイクロニードルアレイであって、マイクロニードルアレイは水溶性高分子を含み、マイクロニードルの高さは５０μｍから３００μｍである唇用マイクロニードルアレイ。
【請求項２】
マイクロニードルの先端が直径５〜１５０μｍの円形又はそれと同面積を有する平面である請求項１に記載の唇用マイクロニードルアレイ。
【請求項３】
マイクロニードルの密度は５０〜２０００本/ｃｍ２である請求項１又は２に記載の唇用マイクロニードルアレイ。
【請求項４】
マイクロニードルの基板部の厚みは３〜２００μｍである請求項１〜３のいずれか１項に記載の唇用マイクロニードルアレイ。
【請求項５】
水溶性高分子がヒアルロン酸又はその誘導体である請求項１〜４のいずれか１項に記載の唇用マイクロニードルアレイ。
【請求項６】
マイクロニードルアレイが保護粘着テープで裏打ちされており、該粘着テープの基材は水透過性であり、且つ粘着剤が部分塗工されている請求項１〜５のいずれか１項に記載の唇用マイクロニードルアレイ。
【請求項７】
ライトニング成分、保湿成分、抗炎症成分の1種以上をマイクロニードル部に含有する請求項１〜６のいずれか１項に記載の唇用マイクロニードルアレイ。
【請求項８】
さらに顔料又は合成着色料を含む、請求項１〜７のいずれか１項に記載の唇用マイクロニードルアレイ。
【請求項９】
１シートに２枚マイクロニードルアレイを保持し、上下唇に同時に適用する請求項１〜８のいずれか１項に記載の唇用マイクロニードルアレイ。
【発明の詳細な説明】
【技術分野】
【０００１】
本発明は、唇への局所適用マイクロニードルの技術分野に関し、詳しくは、唇のライトニング(lightening)及び/または唇の豊潤化技術に関するものである。
【背景技術】
【０００２】
唇の色素沈着の淡色化(lighten)には強い関心が寄せられている。よくある肌の症状としては、色素沈着過剰、しみ、がある。また、加齢又は疲労による唇の「痩せ」も、最近特に女性の関心を深めつつある事象である。
【０００３】
多くの物質が肌を淡色化するために用いられてきた。例えばヒドロキノン、コウジ酸、カンゾウ(licorice)及び／又はその誘導体、アスコルビン酸／アスコルビン酸誘導体、アルブチン(arbutin)、などである。それらを有価物として唇の淡色化のためにリップクリームとして用いることは知られていた。
一方、唇の痩せにはヒアルロン酸注入などの美容医師の手技が多用されてきている。
【０００４】
マイクロニードル製剤は、経皮吸収性が高く、化粧品及び医薬品等の開発が試みられている。一般に、マイクロニードル製剤の適用部位は皮膚表皮であるが、例えば、経内頬投与によるワクチン接種としての微小針パッチが知られている（特許文献１）。本微小針パッチは、内頬粘膜の外側層を貫通するように設計されている。また、マイクロニードル状の生体適合性マトリックスとその表面又は内部に多孔性粒子とを含むマイクロニードルが知られている（特許文献２）。本マイクロニードルは、目下、下唇又は八字しわに使用することができ、目下、口周囲などの適用部位に付着可能なサイズと形状に成形される。
なお、マイクロニードル製剤は、突起部を角質層内に貫通させなくても表皮を引き伸ばして表皮の保護特性を低下させ、化粧料や医薬を投与できることが知られている（特許文献３）。本投与装置は、突起部の先端にさらに微小突起を有する。
【先行技術文献】
【特許文献】
【０００５】
【特許文献１】特表２０１５−５１５４７４号公報
【特許文献２】特開２０１６−８７４７４号公報
【特許文献３】特開２００７−１３０４１７号公報
【発明の概要】
【発明が解決しようとする課題】
【０００６】
本発明の目的は、唇のライトニングや豊潤化をより効果的により簡便に実現する組成物を提供することである。
【課題を解決するための手段】
【０００７】
マイクロニードルを経内頬投与又は目下もしくは下唇に使用する技術が公表されているが、唇には角質はなく外粘膜が皮内組織を覆っている。唇にマイクロニードルを挿入し粘膜を破り有価物を皮内に送達することは、皮内を刺激し炎症を起こすので避けるべきである。本発明者らは、口唇組織の特殊性に鑑みて鋭意検討した結果、マイクロニードル自体及びそれを立たせる基板自体を金属、シリカよりも弾性率が低く相対的に柔らかい物質で構成し、唇に密着させること、さらに唇外粘膜を破ることなく外粘膜内にとどまるように高さを微調整することで、口唇に適したマイクロニードルアレイを発明するに至った。
【０００８】
本発明は、以下に示す通りである。
〔１〕  唇のライトニング及び／又は豊潤化を行う目的で唇に局所的に適用されるマイクロニードルアレイであって、マイクロニードルアレイは水溶性高分子を含み、マイクロニードルの高さは５０μｍから３００μｍである唇用マイクロニードルアレイ。
〔２〕  マイクロニードルの先端が直径５〜１５０μｍの円形又はそれと同面積を有する平面である〔１〕に記載の唇用マイクロニードルアレイ。
〔３〕  マイクロニードルの密度は５０〜２０００本/ｃｍ２である〔１〕又は〔２〕に記載の唇用マイクロニードルアレイ。
〔４〕  マイクロニードルの基板部の厚みは３〜２００μｍである〔１〕〜〔３〕のいずれかに記載の唇用マイクロニードルアレイ。
〔５〕  水溶性高分子がヒアルロン酸又はその誘導体である〔１〕〜〔４〕のいずれかに記載の唇用マイクロニードルアレイ。
〔６〕  マイクロニードルアレイが保護粘着テープで裏打ちされており、該粘着テープの基材は水透過性であり、且つ粘着剤が部分塗工されている〔１〕〜〔５〕のいずれかに記載の唇用マイクロニードルアレイ。
〔７〕  ライトニング成分、保湿成分、抗炎症成分の1種以上をマイクロニードル部に含有する〔１〕〜〔６〕のいずれかに記載の唇用マイクロニードルアレイ。
〔８〕  さらに顔料又は合成着色料を含む、〔１〕〜〔７〕のいずれか記載の唇用マイクロニードルアレイ。
〔９〕  １シートに２枚マイクロニードルアレイを保持し、上下唇に同時に適用する〔１〕〜〔８〕のいずれかに記載の唇用マイクロニードルアレイ。
【発明の効果】
【０００９】
局所性ライトニング組成物ないしは豊潤化組成物が従来不可能であった高い効能を示すという驚くべき、そして予期せぬ事実が見出された。本発明による組成物および方法に有用な具体的方策は、水溶性素材からなるマイクロニードルを唇に適用することによりもたらされた。マイクロニードルは公知の薬物経皮吸収手段である。しかしながら、本発明者以前にマイクロニードルを唇に適用しライトニング、豊潤化に極めて著効を示すことを予測した報告も、ましてやトライした報告もない。その理由は以下のようであろうと推察する。すなわち、マイクロニードルは米国での研究開発に端を発するが、そこにおけるマイクロニードル材料はステンレス、シリカ、チタン、エンジニアリングプラスチック、など極めて硬い材料が主であり本材料からなるマイクロニードルを柔らかい屈曲性の唇に適用することに違和感があることによろう。
本発明のマイクロニードルアレイを唇に適用した場合、唇は角質層を持たないので有価物の浸透が皮膚一般よりも早く、それゆえ短時間の適用でも効果を発揮することができる。
【図面の簡単な説明】
【００１０】
【図１】本発明のマイクロニードルアレイの製造方法の一例を示す断面図である。
【図２】実施例２で製造したマイクロニードルアレイシートの平面図
【発明を実施するための形態】
【００１１】
本発明のマイクロニードルアレイの特徴は、材料の性質（水溶性であること）及び針形状である。
【００１２】
マイクロニードルアレイの針形状
唇には角質はなく外粘膜が皮内組織を覆っている。唇は眼立つ器官であり、マイクロニードルを挿入し粘膜を破り有価物を皮内に送達することは、皮内を刺激し炎症を起こすので避けるべきである。マイクロニードルの形状及び高さは、厳密にコントロールし皮内に挿入されないように形状設計されなければならない。具体的には、針の先端は直径５μｍ以上の円形あるいはそれと同面積を有する平面であることが望ましい。５μｍ未満の先端面積であると、適用時に唇を突き破り皮内へ挿入される危険性を有する。針形状は、棒状でなく円錐台形状又はコニーデが望ましい。円錐台又はコニーデ形状の場合は、針部が唇に適用されるとき唇外粘膜との接触面積が大きく唇を圧迫するので、唇外粘膜が引っ張られて薄くなり、それによって有価物の皮内送達が有利になる。それに反し、棒状の針の場合は、唇外粘膜との接触面積が小さく有価物送達に不利である。針先端部直径は１５０μｍ以下であることが望ましい。先端部直径が１５０μｍを超えると唇外粘膜が引っ張られる効果が小さくなりマイクロニードルとしての機能を失う。
【００１３】
針高さは、５０μｍ以上３００μｍ以下であることが望ましく、１００μｍ以上２５０μｍ以下がより好ましい。５０μｍ未満では唇を圧迫する度合いが小さく有価物の送達に不利である。３００μｍを超えると適用時に針が外粘膜を突き破る危険性がある。
針密度は、５０〜２０００本/ｃｍ２であることが望ましく、１００〜１２００本/ｃｍ２であることがより好ましい。５０本/ｃｍ２以下であると有価物の含有量が少なく、有価物の送達量が不十分である。２０００本/ｃｍ２以上であると、軟らかい唇の粘膜に挿入することは難しくなる。
さらに、唇の粘膜に適用しニードルを早く溶かすためには、ニードルの基板部の厚みの設計も重要である。基板部の厚みは３〜２００μｍであることが望ましく、５〜５０μｍであることがより好ましい。３μｍ以下であると、成膜の靭性が弱くニードルをきっちり支えることが難しい。２００μｍ以上であると、膜が硬くなり軟らかい唇の形状に追随しづらく、適用することが難しい。また、外部から水分を与えて基板部も含めて全体を溶解させる際に、大量の水又は長時間を要する。
【００１４】
マイクロニードルアレイの材料
マイクロニードルアレイの材料は、水溶性であり硬度の低い素材が重要である。このような素材を用い均一に有価物を含有するマイクロニードルアレイを常法により作製すると、有価物はマイクロニードル部分のみならず基板部分にも含まれることとなる。２工程充填の製法により、有価物をマイクロニードル部分のみに含有してもよい。このマイクロニードルアレイを唇に適用すると、マイクロニードル部分は唇を圧迫し唇外粘膜に引っ張りを与えて薄くし、それにより含まれる有価物の唇内送達を促進する。マイクロニードルアレイをフレキシブルな素材から作製すると、基板部も唇の屈曲に追随して唇に密着し基板部も圧迫されてそこに存在する有価物もまた、マイクロニードル部分よりは割合的に小さいとはいえ、唇内へ送達される。
【００１５】
マイクロニードルアレイの材料としては、ヒアルロン酸及びその誘導体（例、ナトリウム塩、ポリエチレンオキサイドグラフトヒアルロン酸、ヒアルロン酸プロピレングリコールエステル、カルボキシメチル化ヒアルロン酸ナトリウム、アセチルヒアルロン酸ナトリウム）、コラーゲン、プロテオグリカン、ヒドロキシプロピルセルロース、コンドロイチン硫酸、カルボキシメチルセルロース、等の水溶性高分子が挙げられ、ヒアルロン酸又はその誘導体が好ましい。これらの水溶性高分子の特徴は、少量の水を吸収するときに膨潤性がある。マイクロニードルを介して唇の粘膜中で溶解した水溶性高分子は、水を吸収して膨潤し、唇の縦しわの持ち上げや唇の潤い効果をもたらす。
【００１６】
ヒアルロン酸は、グリコサミノグリカン（ムコ多糖）の一種であり、Ｎ−アセチルグルコサミンとグルクロン酸の二糖単位が連結した構造を有している。ヒアルロン酸としては、例えば、鶏冠、臍帯等から単離される生物由来のヒアルロン酸、乳酸菌、連鎖球菌等により大量生産される培養由来のヒアルロン酸等が挙げられる。生物由来のヒアルロン酸は、その由来となる生物が有するコラーゲンを完全には除去できず、残存するコラーゲンが悪い影響を与える可能性があるので、コラーゲンを含有しない培養由来のヒアルロン酸が好ましい。従って、ヒアルロン酸は培養由来のヒアルロン酸を５０重量％以上含んでいるのが好ましい。
【００１７】
ヒアルロン酸又はその誘導体から選ばれた水溶性高分子物質を成分として用いてマイクロニードルアレイを作製するに当たっては、これら高分子物質から成形されたマイクロニードルアレイは、重量平均分子量が小さくなると硬くなり皮膚に刺さりやすくなり、逆に重量平均分子量が大きくなると機械的強度が向上し粘り強くなるので、硬度が低下し皮膚に刺さりにくくなる傾向がある。本発明目的においては、重量平均分子量は５千〜２００万が好ましい。
【００１８】
マイクロニードルアレイを唇に適用する際には外粘膜を貫通しない程度の硬度で折れにくく、且つ、有価物を浸透しやすくするために、重量平均分子量が１０万以上の高分子量高分子物質と重量平均分子量が５万以下の低分子量高分子物質の混合物からマイクロニードルアレイを形成してもよい。上記高分子量高分子物質の重量平均分子量は５万以上であればよく、２００万以下が好ましい。また、低分子量高分子物質の重量平均分子量は５万以下であればよく、１０００以上が好ましい。尚、本発明において、重量平均分子量はゲルパーミエーションクロマトグラフィー（ＧＰＣ）によって測定された値である。
【００１９】
高分子量高分子物質と低分子量高分子物質を混合する際の比率は、各高分子物質の種類及び重量平均分子量によっても異なるので、好ましい機械的強度及び硬さになるように適宜決定されればよいが、一般に、高分子量高分子物質1重量％以上、低分子量高分子物質９９重量％以下であることが好ましい。
【００２０】
有価物
本発明のマイクロニードルアレイにおいては、上述の材料と針形状が重要かつ新規であるが、そのマイクロニードルに含浸される有価物は、公知の物を用いることができる。唇ライトニングを目的とする場合は、ヒドロキノン、コウジ酸、カンゾウ(licorice)及び／又はその誘導体、アスコルビン酸／エチルアスコルビン酸、アスコルビン酸グルコシドなどのアスコルビン酸誘導体、アルブチン(arbutin)、などのメラニン合成酵素阻害に有効な物質を添加すればよい。また、アスタキサンチン、フラーレン、コエンザイムＱ１０などの酸化防止剤、ビタミンEなどの血流促進剤、レチノール及びレチナール、アデノシンなどのターンオーバーを促す成分、ナイアシンアミドなどの新陳代謝を改善する成分、唇荒れ防止のグリチルリチン酸ジカリウムなど、及び化粧品として常用されている芳香剤を添加してもよい。その他、セラミド、ビタミンＡ、Ｅ、尿素などの保湿成分、およびグリチルリチン酸ジカリウムなどの抗炎症成分を添加してもよい。
添加量は様々であり、物質の種類および性質および望まれる効果の度合いによる。ライトニング剤、及びその他添加剤は一般的には、組成物の総重量に対しておよそ０．００１ｗｔ％からおよそ２０ｗｔ％まで、より好ましくはおよそ０．０１ｗｔ％からおよそ５ｗｔ％まで、最も好ましくはおよそ０．１ｗｔ％からおよそ２．５ｗｔ％までの量で存在する。
【００２１】
唇のライトニングからさらに進んで唇をさらに瑞瑞しい色合いにするには、ライトニング後あるいはライトニングと同時に口紅成分を有価物としてマイクロニードルに添加した組成物を用いればよい。その添加量は、ライトニング剤に準じる。一般に使用されている、ベニバナやコチニールなどの天然色素を原料とした顔料や、合成着色料である色素（着色料）が好適に使用できる。合成着色料としては赤色104号、赤色105号、赤色201号、赤色203号、赤色205号、赤色206号、赤色207号、赤色208号、等が好適に使用できる。
【００２２】
唇の豊潤化の目的にはヒアルロン酸及びその誘導体、コラーゲン、コンドロイチン硫酸、プロテオグリカン、プラセンタなど皮内で膨潤する高分子物質を有価物として用いる。なかでも、ヒアルロン酸及びその誘導体はマイクロニードルの材料として適切なものであるので、豊潤化を目的とする場合ヒアルロン酸単独でのマイクロニードル成型により目的を達することが出来る。すなわち、この場合ヒアルロン酸がマイクロニードルアレイの材料と有価物とを兼ねているといえる。
【００２３】
本発明のマイクロニードルアレイの製造方法は、特に限定されず、従来公知の任意の方法で製造されればよく、例えば、マイクロニードルの形状が穿設された型に、上記高分子量ヒアルロン酸と低分子量ヒアルロン酸及び必要に応じて有価物の水溶液を流延し、乾燥した後剥離する方法が挙げられる。有価物をマイクロニードル部分のみに含有させる場合は、有価物含有原料と有価物不含原料とを２工程に分けて充填させる製法（２工程充填製法）を用いることができる。剥離した後、唇の形状に裁断し、保護粘着テープで裏打ちして用いる。唇に適用したマイクロニードルアレイの針部を速やかに口唇部で溶解させるため、アレイ裏から、水ないしは美容液を供給することは有効である。また、口唇部からの水分蒸散を防止しマイクロニードルアレイを蒸らして針の溶解を促進するために、水蒸気透過性の低い保護粘着テープを用いることも有効である。マイクロニードルアレイの裏打ち保護粘着テープの基材が水透過性（例えば、不織布）である場合、粘着剤を部分塗工すると、水をガーゼ等で供給することが容易となり、その後、マイクロニードルアレイ貼付部をマッサージすることにより、速溶解を達成しやすくなる。
速溶解を目的とする場合、上に述べた高分子物質以外に、加水分解ヒアルロン酸、加水分解コラーゲン、等の易溶性高分子材料を用いると有効である。また、分子量1000以下の水溶性物質、ビタミンC、単糖、二糖類などを10％以上含む組成とすることにより針の溶解性は促進される。
本発明のマイクロニードルアレイは唇に適用するものであるが、唇は角質層を持たないので有価物の浸透が皮膚一般よりも早く、それゆえ短時間の適用でも効果を発揮することが出来る。
【００２４】
本発明による局所性組成物（マイクロニードルアレイ）は、加齢斑、暗色斑、色素沈着過剰、炎症後過剰色素沈着（例えば、挫瘡後色素沈着過剰）、変色といった種々の肌の状態に対処することができる。
【００２５】
本発明のマイクロニードルアレイは、オプションとして、１以上の以下の成分：麻酔薬、抗アレルゲン剤、抗真菌性剤、抗炎症剤、防腐剤(antiseptics)、キレート剤、着色料、皮膚軟化剤、エクスフォリエント(exfollients)、皮膜形成剤(film formers)、芳香剤、湿潤剤、防虫剤、潤滑剤、保湿剤、医薬品、防腐剤(preservatives)、肌保護剤、肌浸透増進剤、安定剤、界面活性剤、増粘剤、粘度調整剤、またはビタミンを含み得る。
【実施例】
【００２６】
以下に実施例を例示して本発明を説明するが、本発明は実施例に限定されるものではない。
【００２７】
実施例１
図１は本発明のマイクロニードルアレイの製造方法の一例を示す断面図である。図中１は、感光性樹脂に光照射するリソグラフィ法によりコニーデ型のマイクロニードルパターンを形成した後、電鋳加工することによりコニーデ型のマイクロニードルパターンを転写したコニーデ型のマイクロニードル形成用凹部１１が形成された鋳型である。
マイクロニードル形成用凹部１１は根元の直径が０．６ｍｍ、先端直径が０．０２ｍｍ、深さ０．２ｍｍのコニーデ型であり、０．６ｍｍ間隔に格子状に配列されている。
室温で水１００重量部にヒアルロン酸（キッコーマンバイオケミファ製、商品名「ＦＣＨ−ＳＵ」、分子量１００，０００）２０重量部及び赤色104号の0.1重量部を溶解した水溶液を鋳型１上に流延し、加熱してヒアルロン酸水溶液層の水分を蒸発させた後、鋳型１から剥離して角を丸めた長方形（7x50ｍｍ）に打ち抜き、そのマイクロニードルアレイを角を丸めた長方形（9x56ｍｍ）の粘着テープの中央部にセットすることにより本発明のマイクロニードルアレイを得た。マイクロニードルアレイの基盤部の厚みは６０μｍであった。
【００２８】
本発明のマイクロニードルアレイを粘着テープごとボランテイア２名の口唇部の右側に押し付けて粘着部により固定し、３０分後に剥離した。直後に軽く口唇部を水で洗い、表面に付着している赤色色素を洗い流した。その状態で唇を観察すると、両名において右側が明らかに赤色が増しておりかつ左側に比べてふっくら感が観察された。
【００２９】
実施例２
アルブチン２重量部を追加した以外は実施例１と同様の組成を有し、実施例１と同様の鋳型により長径５ｃｍ、短径０．８ｃｍ楕円形のマイクロニードルアレイを製造した。そのマイクロニードルアレイの背部に、目付け量５０ｇ／ｍ２の不織布片面に粘着剤をパターン塗工（縦筋２ｍｍ巾、間隔１０ｍｍ）した粘着テープを裏打ちして本発明のマイクロニードルアレイを得た。具体的様相は図２を参照のこと。
【００３０】
本発明のマイクロニードルアレイを粘着テープごとボランテイア２名の上下口唇部に押し付けて粘着テープにより固定した直後に、不織布側から水をガーゼで供給した後、ガーゼを外してマイクロニードルアレイ貼付部をマッサージし、１５分後に剥離した。その後は実施例１と同様に観察すると、口唇部において赤色とふっくら感が明瞭に観察された。本貼付操作を1日に１回７日間繰り返すと、貼付部の透明感が観察された。
【００３１】
実施例３  実施例1におけるヒアルロン酸の代わりにＰＥＧ−グラフトヒアルロン酸を用い、さらに麹酸２重量％、ビタミンＣエチル１重量％、グリチルリチン酸ジカリウム０．１重量％、赤色218号０．１重量％を水溶液１００ｇに添加して実施例１と同様にマイクロニードルアレイを製造した。本発明品の効果も実施例1と同様に得られた。
【符号の説明】
【００３２】
１      鋳型
１１    マイクロニードル形成用凹部
２      ヒアルロン酸水溶液層
３      マイクロニードルアレイシート
４      裏打ち不織布シート
５      粘着剤
【図１】
2019034151.tif 000003
【図２】
2019034151.tif 000004